(57)【特許請求の範囲】
【請求項１】
収納状態において上縁両側から側方に突出する一対の突起部と、該一対の突起部の一方側が位置する前記被梱包物の側縁の中途部から側方に突出する第２の突起部と、を備えた略板状の被梱包物を収納する梱包容器であって、前記梱包容器の被梱包物収納開口に内方に向けて延びる上壁と、該上壁から連続する前記梱包容器の側壁に跨って形成されることで上方から側方に連続して開口して前記突起部の他方と係合する切欠部と、該切欠部と対向する位置の前記梱包容器の対向側壁にのみ開口して前記突起部の一方と係合する係合部と、前記対向壁面の前記係合部よりも下方で該係合部とは独立して開口して前記第２の突起部と係合する第２の係合部と、を備えていることを特徴とする梱包容器。
【請求項２】
前記一方の突起部と前記他方の突起部とはその平面形状が異なっており、前記切欠部の平面形状は前記他方の突起部の平面形状と同一であることを特徴とする請求項１に記載の梱包容器。
【請求項３】
前記被梱包物の前記他方の突起部は突出端に向かうほど先細りとされ、前記切欠部の平面形状は前記他方の突起部と同一であることを特徴とする請求項１又は請求項２に記載の梱包容器。
【発明の詳細な説明】
【技術分野】
【０００１】
本発明は、梱包容器に関する。
【背景技術】
【０００２】
従来から、段ボール製の梱包容器本体の内部にパネル状の被梱包物を上方から下方に向けてスライド式に収納する梱包容器が知られている（例えば、特許文献１参照）。
【０００３】
この際、例えば、家電製品のコントロール基板等（以下、単に「基板」と称する。）においては、基板の下端を梱包容器本体の底面から浮かせていないと、搬送等の過程で衝撃を受け、破損等の要因となる。
【０００４】
そこで、梱包容器本体の被梱包物の上壁開口付近に厚肉部分を設けるとともに、この厚肉部分に梱包容器の上方と内方とに跨って開口する一対の切欠部を対向状態で設け、この一対の切欠部に基板の上縁両端から側方に突出する一対の突起部を係合させることで基板を保持（吊持）することが考えられる。
【先行技術文献】
【特許文献】
【０００５】
【特許文献１】特開２００１−０８４３４２号公報
【発明の概要】
【発明が解決しようとする課題】
【０００６】
ところが、上述した梱包容器にあっては、例えば、図６（Ａ）に示すように、基板１１を収納保持する緩衝材（又は梱包容器本体）１２の厚肉部分に、単に上方及び内方に開放する切欠部１２ａ，１２ｂを設けただけなので、基板１１の左右が対称な場合には特に問題は無かった。
【０００７】
しかしながら、基板１１の全体又は一部が左右非対称で、例えば、その一方の縁部の途中に切欠部１２ａ，１２ｂと係合する突起１１ａ，１１ｂとは別の第２の突起１１ｃが存在していた場合、緩衝材１２の内壁面にも突起１１ｃと係合する係合穴１２ｃを設ける必要がある。
【０００８】
このような基板１１の中途部に設けられた突起１１ｃを係合穴１２ｃに係合させて緩衝材１２に収納すると、図５（Ｂ）に示すように、その存在が見えないことと相俟って、基板１１を取り出す際に、突起１１ｃが係合穴１２ｃに引っ掛かり、引き抜き（取り出し）作業をスムーズに行うことができないばかりでなく、強引な引き抜きによって基板１１が破損してしまう虞があった。
【０００９】
なお、切欠部１２ａと係合穴１２ｃとを連通して上下に長いスリット状とすることも考えられるが、このような場合には、支持状態が基板１１の中途部（突起１１ｃ）と上端付近（突起１１ｂ）とが上下方向にズレてしまい、ガタが発生し易いばかりでなく、連続したスリットによって段ボールの強度が低下してしまうという新たな問題が生じていた。
【００１０】
そこで、本発明は、被梱包物の取り出しを容易に行うことができ、しかも、被梱包物の目視し難い場所に突起等が存在していても、その取り出しを単なる引き抜き方向の荷重を加えるだけで自然に引き抜き方向を規定することができ、被梱包物の不測な破損を抑制することができる梱包容器を提供することを目的とする。
【課題を解決するための手段】
【００１１】
上記課題を解決するため、本発明の梱包容器は、収納状態において上縁両側から側方に突出する一対の突起部と、該一対の突起部の一方側が位置する前記被梱包物の側縁の中途部から側方に突出する第２の突起部と、を備えた略板状の被梱包物を収納する梱包容器であって、前記梱包容器の被梱包物収納開口に内方に向けて延びる上壁と、該上壁から連続する前記梱包容器の側壁に跨って形成されることで上方から側方に連続して開口して前記突起部の他方と係合する切欠部と、該切欠部と対向する位置の前記梱包容器の対向側壁にのみ開口して前記突起部の一方と係合する係合部と、前記対向壁面の前記係合部よりも下方で該係合部とは独立して開口して前記第２の突起部と係合する第２の係合部と、を備えていることを特徴とする。
【００１２】
このような構成の梱包容器によれば、被梱包物の一対の突起部に対して、他方の突起部と係合する切欠部は上方から側方に連続して開口するように上壁から側壁に跨って形成され、一方の突起部と係合する係合部は側方に向けてのみ開口するように形成されていることから、被梱包物を取り出す際には、その引き出し荷重が自然と一方の突起部と係合部との緩やかな引っ掛かりを支点とする回動方向の荷重となり、側縁の中途部から突出する第２の突起部と第２の係合部との係合状態を容易に解除することができる。
【００１３】
これにより、被梱包物の取り出しを容易に行うことができ、しかも、被梱包物の目視し難い場所に突起等が存在していても、その取り出しを単なる引き抜き方向の荷重を加えるだけで自然に引き抜き方向を規定することができ、被梱包物の不測な破損を抑制することができる。
【００１４】
また、本発明の梱包容器は、前記一方の突起部と前記他方の突起部とはその平面形状が異なっており、前記切欠部の平面形状は前記他方の突起部の平面形状と同一であることを特徴とする。
【００１５】
このような構成の梱包容器によれば、一方の突起部と他方の突起部との平面形状とが異なることから、被梱包物を挿入する際の左右を規定することができ、しかも、引き抜き時の一対の突起部の視認性を向上し得て、被梱包物の離脱操作時において他方の突起部が先に抜けるように引き抜き荷重を操作し易くすることができる。
【００１６】
さらに、本発明の梱包容器は、前記被梱包物の前記他方の突起部は突出端に向かうほど先細りとされ、前記切欠部の平面形状は前記他方の突起部と同一であることを特徴とする。
【００１７】
このような構成の梱包容器によれば、他方の突起部と切欠部との係合・離脱操作時において他方の突起部と切欠部とが引っ掛かり難くすることができる。
【発明の効果】
【００１８】
本発明の梱包容器によれば、被梱包物の取り出しを容易に行うことができ、しかも、被梱包物の目視し難い場所に突起等が存在していても、その取り出しを単なる引き抜き方向の荷重を加えるだけで自然に引き抜き方向を規定することができ、被梱包物の不測な破損を抑制することができる。
【図面の簡単な説明】
【００１９】
【図１】本発明の一実施形態に係る梱包容器の分解斜視図である。
【図２】本発明の一実施形態に係る梱包容器に収納される被梱包物としての基板の斜視図である。
【図３】本発明の一実施形態に係る梱包容器に適用される緩衝材の斜視図である。
【図４】本発明の一実施形態に係る梱包容器に適用される緩衝材の展開状態の平面図である。
【図５】本発明の一実施形態に係る梱包容器における緩衝材と被梱包物との関係を示し、（Ａ）は緩衝材に被梱包物を保持させる前の要部の説明図、（Ｂ）は緩衝材に被梱包物を保持させる途中の要部の説明図、（Ｃ）は緩衝材に被梱包物を保持させた要部の説明図である。
【図６】従来の梱包容器における緩衝材と被梱包物との関係を示し、（Ａ）は緩衝材に被梱包物を保持させる前の要部の説明図、（Ｂ）緩衝材に被梱包物を保持させた要部の説明図である。
【発明を実施するための形態】
【００２０】
次に、本発明の一実施形態に係る梱包容器について、図面を参照して説明する。尚、以下に示す実施例は本発明の梱包容器における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００２１】
図１は本発明の一実施形態に係る梱包容器の分解斜視図、図２は本発明の一実施形態に係る梱包容器に収納される被梱包物としての基板の斜視図、図３は本発明の一実施形態に係る梱包容器に適用される緩衝材の斜視図、図４は本発明の一実施形態に係る梱包容器に適用される緩衝材の展開状態の平面図、図５は本発明の一実施形態に係る梱包容器における緩衝材と被梱包物との関係を示し、図５（Ａ）は緩衝材に被梱包物を保持させる前の要部の説明図、図５（Ｂ）は緩衝材に被梱包物を保持させる途中の要部の説明図、図５（Ｃ）は緩衝材に被梱包物を保持させた要部の説明図である。
【００２２】
図１において、１０は家電製品用コントロール基板等の略板状の被梱包物（以下、「基板」と称する）、２は基板１１を収納する段ボール製の梱包容器本体、３は基板１１の上面を覆う（保護する）カバー、４は基板１１の上面を除く略全面を覆う（保護する）ように基板１１と係合する下側緩衝材である。
【００２３】
基板１１は、その対象としての商品等は、特に限定されるものではない。本実施の形態においては、例えば、図２に示すように、収納状態（図示状態）において上縁両側から側方に突出する一対の突起部１１ａ，１１ｂと、一方側の突起部１１ａが位置する基板１１の側縁の下方寄りから側方に突出する第２の突起部１１ｃと、を備えている。
【００２４】
一方の突起部１１ａと他方の突起部１１ｂとは、その平面形状が異なっており、本実施の形態においては、一方の突起部１１ａは平面形状が矩形とされ、他方の突起部１１ｂは平面形状が突出端に向かうほど片側に寄って先細り（突出端だけでは平面視略三角形状）とされている。
【００２５】
梱包容器本体２は、基板１１を保持した緩衝材４を二段積みで収納する。また、本実施の形態において、梱包容器本体２は、単なる筐体であって、特別な構造等は採用していないが、後述する緩衝材４の構成の一部を兼用しても良い。
【００２６】
カバー３は、本実施の形態においては、段ボールや発泡ポリスチレン等の板材が用いられており、基板１１の上面を覆うとともに、クッション性（衝撃吸収性や反発性等を含む）によって基板１１を保護することができれば、特に限定されるものではない。
【００２７】
緩衝材４は、図３に示すように、その組み立て状態において、基板１１の底面に位置する底面パネル部４１と、基板１１の前後（正面・背面）に位置する前面パネル４２及び背面パネル４３と、基板１１の側面（左右面）に位置する左側面パネル部４４及び右側面パネル部４５と、を備えている。本実施の形態においては、これら各部４１〜４５は、図４に示すように、１枚の段ボール板から立体状に組み立てられている。
【００２８】
前面パネル４２及び背面パネル４３には、左側面パネル部４４及び右側面パネル部４５に形成された係合スリット部４４ａ，４５ａと係合する被係合スリット部４２ａ，４２ｂ，４３ａ，４３ｂが形成されている。
【００２９】
左側面パネル部４４は、底面パネル部４１の縁部から一部を除いて順次谷折り（図示二点鎖線）に折り返されるもので、その縁部側から順に、外側縦パネル部４４ｂ、上壁としての天面パネル部４４ｃ、側壁としての内側縦パネル部４４ｄ、地面パネル部４４ｅを備えている。
【００３０】
内側縦パネル部４４ｄには、上述した係合スリット部４４ａが形成されており、順次内側に折り込んだ際に被係合スリット部４２ａ，４３ａと係合して折り込みによる矩形の閉断面形状を維持している。また、この維持によって、天面パネル部４４ｃが内側に延びて厚みを有するように構成されている。
【００３１】
また、天面パネル部４４ｃと内側縦パネル部４４ｄとには、複数の基板１１を緩衝材４に保持させた際の間仕切り板５（図１参照）が挿入される間仕切りスリット部４４ｆが跨って形成されている。
【００３２】
さらに、内側縦パネル部４４ｄには、組み立て状態の上下に離間して壁面に開口する係合部４４ｇ及び第２の係合部４４ｈが形成されている。
【００３３】
右側面パネル部４５は、底面パネル部４１の縁部から一部を除いて順次谷折り（図示二点鎖線）に折り返されるもので、その縁部側から順に、外側縦パネル部４５ｂ、上壁としての天面パネル部４５ｃ、側壁としての内側縦パネル部４５ｄ、地面パネル部４５ｅを備えている。
【００３４】
内側縦パネル部４５ｄには、上述した係合スリット部４５ａが形成されており、順次内側に折り込んだ際に被係合スリット部４２ｂ，４３ｂと係合して折り込みによる矩形の閉断面形状を維持している。また、この維持によって、天面パネル部４５ｃが内側に延びて厚みを有するように構成されている。
【００３５】
また、天面パネル部４５ｃと内側縦パネル部４５ｄとには、間仕切りスリット部４４ｆと対向して、複数の基板１１を緩衝材４に保持させた際の間仕切り板５（図１参照）が挿入される間仕切りスリット部４５ｆが跨って形成されている。さらに、天面パネル部４５ｃと内側縦パネル部４５ｄとには、上方と内方とに跨って開口する切欠部４５ｇが形成されている。
【００３６】
ここで、上述したように、突起部１１ａと突起部１１ｂとは平面形状が異なっており、切欠部４５ｇの平面形状は突起部１１ｂの平面形状と同一である。この際、突起部１１ｂは突出端に向かうほど先細りとされ、切欠部４５ｇの平面形状は突起部１１ｂと同一とするのがより好ましい。
【００３７】
上記の構成において、基板１１を緩衝材４に収納する場合には、図５（Ａ）に示す状態から、基板１１を斜めにし、図５（Ｂ）に示すように、先に（一方の）突起部１１ａと第２の突起部１１ｃとが係合部４４ｇと第２の係合部４４ｈとに係合するように挿入した後、図５（Ｃ）に示すように、（他方の）突起部１１ｂを切欠部４５ｇに係合するだけでよい。
【００３８】
一方、基板１１を緩衝材４から引き抜く場合には、単なる引き抜き動作によって、突起部１１ａと第２の突起部１１ｃとが係合部４４ｇと第２の係合部４４ｈとに係合したまま、突起部１１ａと天面パネル部４４ｃの裏面側との接触部分を回動支点として、基板１１が回動し、図５（Ｂ）に示すように、突起部１１ｂが切欠部４５ｇから離脱する。
【００３９】
そして、さらなる引き抜き操作によって突起部１１ａと第２の突起部１１ｃとが係合部４４ｇと第２の係合部４４ｈとから離脱し、基板１１を引き抜くことができる。
【００４０】
このように、本発明の梱包容器にあっては、収納状態において上縁両側から側方に突出する一対の突起部１１ａ，１１ｂと、一対の突起部１１ａ，１１ｂの一方側（突起部１１ａ）が位置する基板１１の側縁の中途部から側方に突出する第２の突起部１１ｃと、を備えた略板状の基板１１を収納する梱包容器であって、梱包容器の基板１１の収納開口に内方に向けて延びる天面パネル４４ｃ，４５ｃと、天面パネル部４５ｃから連続する内側縦パネル部４５ｄに跨って形成されることで上方から側方に連続して開口して他方の突起部１１ｂと係合する切欠部４５ｇと、切欠部４５ｇと対向する位置の内側縦パネル部４４ｄにのみ開口して一方の突起部１１ａと係合する係合部４４ｇと、内側縦パネル部４４ｄの係合部４４ｇよりも下方で係合部４４ｇとは独立して開口して第２の突起部１１ｃと係合する第２の係合部４４ｈとを備えている。
【００４１】
このような構成の梱包容器によれば、基板１１の一対の突起部１１ａ，１１ｂに対して、突起部１１ｂと係合する切欠部４５ｇは上方から側方に連続して開口するように天面パネル部４５ｃから内側縦パネル部４５ｄに跨って形成され、突起部１１ａと係合する係合部４４ｇは内側縦パネル部４４ｄに向けてのみ開口するように形成されていることから、基板１１を取り出す際には、その引き出し荷重が自然と突起部１１ａと係合部４４ｇとの緩やかな引っ掛かりを支点とする回動方向の荷重となり、第２の突起部１１ｃと第２の係合部４４ｈとの係合状態を容易に解除することができる。
【００４２】
これにより、基板１１の取り出しを容易に行うことができ、しかも、基板１１の目視し難い場所に突起等が存在していても、その取り出しを単なる引き抜き方向の荷重を加えるだけで自然に引き抜き方向を規定することができ、基板１１の不測な破損を抑制することができる。
【００４３】
ところで、上記実施の形態では、梱包容器本体１とカバー３と緩衝材４とで基板１１を収納保持する梱包容器に適用した例を示したが、緩衝材４に換えて梱包容器本体１で基板１１を直接収納保持する構成にも適用することができる。
【符号の説明】
【００４４】
２…梱包容器本体
３…カバー
４…緩衝材
５…間仕切り
１１…基板
１１ａ…突起部（一方）
１１ｂ…突起部（他方）
１１ｃ…第２の突起部
４４…左側面パネル部
４４ｃ…天面パネル部（上壁）
４４ｄ…内側縦パネル部（側壁）
４４ｇ…係合部
４４ｈ…第２の係合部
４５…右側面パネル部
４５ｃ…天面パネル部（上壁）
４５ｄ…内側縦パネル部（側壁）
４５ｇ…切欠部
【図１】
0005715021.tif 000002
【図２】
0005715021.tif 000003
【図３】
0005715021.tif 000004
【図４】
0005715021.tif 000005
【図５】
0005715021.tif 000006
【図６】
0005715021.tif 000007